(57)【要約】      （修正有）【課題】コンビニエンスストアー等の小売販売店における小さなスペースを活用して常備し、瞬時に攻撃者に対応することができる防護盾を提供する。【解決手段】盾本体１１と、盾本体１１の裏面側に固着されて盾本体１１を取り扱う取っ手部２０と、を有する防護盾１０であって、取っ手部２０は、円筒状のものを長手方向に半割にして、その切口を盾本体１１と反対の外方に向けて、盾本体１１の裏面に取り付けられるとともに、使用者が手で把持する部分である把持部２１と、把持部２１の一端から略直角に屈曲して延伸した固定部２２とを有する。【選択図】図１
0003192008.tif 000002
【実用新案登録請求の範囲】
【請求項１】
盾本体と、
該盾本体の裏面側に固着されて盾本体を取り扱う取っ手部と、を有する防護盾であって、
該取っ手部は、
円筒状のものを長手方向に半割にして、その切口を盾本体と反対の外方に向けて、盾本体の裏面に取り付けられるとともに、
使用者が手で把持する部分である把持部と、
該把持部の一端から略直角に屈曲して延伸した固定部とを有することを特徴とする防護盾。
【請求項２】
前記取っ手部の把持部は合成樹脂又はゴムで形成されており、
該把持部を把持したときに前記切口が内側方向に変形するようにしたことを特徴とする請求項１に記載の防護盾。
【請求項３】
前記把持部の湾曲部の曲率が、５０ｍｍＲ〜８０ｍｍＲであることを特徴とする請求項１又は２に記載の防護盾。
【請求項４】
前記取っ手部の固定部は、その長手方向の長さが、１００ｍｍ〜１４０ｍｍであることを特徴とする請求項１〜３のいずれか１項に記載の防護盾。
【考案の詳細な説明】
【技術分野】
【０００１】
本考案は、犯罪者、暴漢者等からの生命、身体に対する急迫した攻撃から身体を保護するための防護盾に関し、特に、コンビニエンスストアー等の小売販売店のレジや、銀行等の金融機関の窓口において、とっさに取っ手を握って防護盾を強盗などにかざして撃退する防護盾に関するものである。
【背景技術】
【０００２】
従来、コンビニエンスストアー等の小売販売店や、銀行等の窓口において、
強盗から凶器を突き付けられて金銭を要求されたとき、その凶器から身を守るための防刃盾が提案されている（例えば、特開２０００−３５２８８号公報）。
また、身を守りつつその要求を断念させるために、防護盾に警音器を取付け、防護盾の使用により身を守ると共に、警音器から発する大音響により怯ませ、周囲に強盗侵入の非常事態を報知させる警音器つき防護盾の提案されている（例えば、実用新案登録第３１０８６１０号公報）。
【先行技術文献】
【特許文献】
【０００３】
【特許文献１】特開２０００−３５２８８号公報
【特許文献２】実用新案登録第３１０８６１０号公報
【考案の概要】
【考案が解決しようとする課題】
【０００４】
しかしながら、特許文献１に記載の防刃盾は、刃物の横滑りを防止することは可能であるが、とっさの場合に取っ手を握りにくく、強盗の方向に正確に向けることができず、生命、身体に対する急迫した攻撃から身体を保護することができないおそれがある。
また、特許文献２に記載の防護盾は、周囲に強盗侵入の非常事態を報知させることは可能であるが、とっさに取っ手を握って防護盾を強盗などにかざして撃退することができないおそれがある。
【０００５】
そこで、本考案はこのような問題点を解決するため、コンビニエンスストアー等の小売販売店における小さなスペースを活用して常備し、瞬時に攻撃者に対応することができる防護盾を提供することを目的とする。
【課題を解決するための手段】
【０００６】
本考案は上記目的を達成するために次のような構成とした。
（１）本考案に係る防護盾は、盾本体と、
該盾本体の裏面側に固着されて盾本体を取り扱う取っ手部と、を有する防護盾であって、
該取っ手部は、
円筒状のものを長手方向に半割にして、その切口を盾本体と反対の外方に向けて、盾本体の裏面に取り付けられるとともに、
使用者が手で把持する部分である把持部と、
該把持部の一端から略直角に屈曲して延伸した固定部とを有することを特徴とする。
（２）本考案に係る防護盾は、上記（１）において、
前記取っ手部の把持部は合成樹脂又はゴムで形成されており、
該把持部を把持したときに前記切口が内側方向に変形するようにしたことを特徴とする。
（３）本考案に係る防護盾は、上記（１）又は（２）において、
前記把持部の湾曲部の曲率が、５０ｍｍＲ〜８０ｍｍＲであることを特徴とする。
（４）本考案に係る防護盾は、上記（１）〜（３）のいずれかにおいて、
前記取っ手部の固定部は、その長手方向の長さが、１００ｍｍ〜１４０ｍｍであることを特徴とする。
【考案の効果】
【０００７】
本考案の防護盾は、取っ手部が、円筒状のものを長手方向に半割にして、その切口を盾本体と反対の外方に向けて、盾本体の裏面に取り付けられるとともに、使用者が手で把持する部分である把持部と、該把持部の一端から略直角に屈曲して延伸した固定部とを有するので、とっさの場合に、カウンター上に置かれた防護盾の把持部を握ることが容易であり、防護盾を強盗などにかざして撃退することができる。
また、取っ手部の把持部は合成樹脂又はゴムで形成されており、把持部を把持したときに切口が内側方向に変形するようにしてあるので、とっさの場合に把持部をしっかり握ることができる。
【図面の簡単な説明】
【０００８】
【図１】本考案の実施形態に係る防護盾の全体斜視図である。
【図２】実施形態の防護盾を載置台に載置した状態を示す側面図である。
【図３】実施形態の防護盾の表面図である。
【図４】実施形態の防護盾の裏面図である。
【図５】防護盾の取っ手部の斜視図である。
【図６】防護盾の取っ手部を別の角度から見た斜視図である。
【図７】（ａ）は円筒状のものを長手方向に半割にした取っ手部の半割面を開放側から見た図であり、（ｂ）は（ａ）のＸ−Ｘ断面図である。
【考案を実施するための形態】
【０００９】
＜防護盾＞
本考案の実施形態に係る防護盾１０は、図１の全体斜視図、図２の側面図、図３の防護盾の表面図、図４の裏面図に示すように、盾本体１１と、該盾本体１１の裏面１３側に固着されて盾本体１１を取り扱う取っ手部２０と、を有している。
また、防護盾１０の取っ手部２０は、図５の斜視図、図６の別の角度から見た斜視図、図７（ａ）の円筒状のものを長手方向に半割にした取っ手部の半割面を開放側から見た図に示すように、使用者が手で把持する部分である把持部２１と、該把持部の一端２１ｃから屈曲し載置台Ｔに載置される固定部２２と、からなっている。
また、図７（ｂ）の（ａ）のＸ−Ｘ断面図（把持部２１の長手方向と直角の断面図）に示すように、把持部２１の断面は略半円状をしており、取っ手部２０は、該半円状の湾曲部２３（半割面と反対側）が盾本体１１の裏面１３側に対向しており、該半円状の開放側２４（半割面側）が盾本体１１とは反対の外方側に向けて取り付けられている。
【００１０】
＜盾本体＞
盾本体１１は、平板状に形成されており、その材質は特に限定されず、公知のように、アルミニウム材や合成樹脂材によって形成することができる。盾本体１１の形状は、図示する実施形態では縦長の長方形状に形成したが、特に形状を限定するものではなく、横長の長方形状や、正方形、楕円形など任意の形状に形成することができる。
盾本体１１を合成樹脂材によって形成する場合には、厚さ約５ｍｍのポリカーボネート板を使用することができる。ポリカーボネートは、成形収縮率が低く、寸法安定性が良好であり、透明度及び耐衝撃性が高いために、好ましく用いられる。
また、盾本体１１の材質は、ポリカーボネートの他、アクリル樹脂、ポリアミドイミド、エポキシ樹脂、フェノール樹脂等を用いることができる。
また、盾本体１１を合成樹脂材によって形成する場合には、２種以上の樹脂を積層した合成樹脂積層体とすることもできる。
なお、盾本体１１の表面１２には、「休止中」、「他のレジでお願いします」などの表示や、「あんまん１００円」などの宣伝表示をすることもできる。
また、表面１２上に、さらに透明板を取り付け、盾本体１１と透明板との隙間に上記宣伝表示を印刷した紙面を差し込みすることもできる。
【００１１】
＜取っ手部＞
また、盾本体１１の裏面１３側には、盾本体１１を取り扱う取っ手部２０が固着されている。取っ手部２０は、円筒状のものを長手方向に半割にして、その開放側２４（半割面側）を盾本体１１と反対の外方に向けて、盾本体１１の裏面１３に取り付けられている。
また、取っ手部２０は、使用者が手で把持する部分である把持部２１と、把持部２１の一端２１ｃから略直角に屈曲して延伸して形成された固定部２２とからなる。固定部２２は、防護盾１０をレジ台やカウンター等の載置台Ｔに載置する場合に盾本体１１を固定する役割し、その下方には、右下側縁２２ａ、左下側縁２２ｂが形成されており、盾本体１１の下端とで、載置台Ｔ（例えば、レジ台やカウンター）に安定して載置することができるようになっている。
なお、取っ手部２０は、図示する実施形態では、ボルトとナット等による固定具によって盾本体１１の裏面１３側に固着されており、固定部２２は、図５に示すように、その長手方向の長さを、１００ｍｍ〜１４０ｍｍとすることにより、防護盾１０をより安定して載置台Ｔに載置することができる。
【００１２】
＜把持部＞
さらに、防護盾１０においては、取っ手部２０の把持部２１が、盾本体１１のほぼ中央になるように盾本体１１に固着するようにしている。これにより、とっさの場合に使用者が握り易い位置となり、状況に応じて臨機応変な対応をとることができる。
【００１３】
また、取っ手部２０の把持部２１は、図７（ａ）に示すように、円筒状のものを長手方向に半割にしたものであり、図７（ｂ）に示すように、把持部２１のＸ−Ｘ断面図は略半円状を呈している。
そして、その略半円状の底に該当する部分（湾曲部２３）が盾本体１１の裏面１３側に対向しており、開放側２４（半割面側）を盾本体１１と反対の外方に向けて、盾本体１１の裏面１３に取り付けられている。
これにより、使用者が半割の把持部２１を把持したときに、把持部２１の右側縁２１ａ、左側縁２１ｂが手の力で内側に変形することにより、強く把持部２１を握り締めることができる。
また、把持部２１の湾曲部２３（盾本体１１の裏面１３に対向する側）の曲率を、図５に示すように、５０ｍｍＲ〜８０ｍｍＲとすることにより、使用者が把持部２１を握り易くしている。
【００１４】
把持部２１は、使用者が手で握って盾本体１１を把持するものであり、把持部２１を形成する材質は、特に限定されないが、例えば、合成樹脂、ゴム、金属等任意の材質のものを使用することができるが、把持力を考慮すると弾性体である合成樹脂やゴムによって形成するのは好ましい。
【実施例】
【００１５】
以下、本考案の防護盾を実施例を詳細に説明する。
実施例の防護盾１０は、厚み５ｍｍのボリカーボネート板を縦横長さの方形に裁断した方形板の盾本体１１の裏面に、取っ手部２１の上下端を固着した。この盾本体１１の裏面において、取っ手部２１の固定部２２の下方に、１００ｍｍの右下側縁２２ａ、左下側縁２２ｂを設けた。また、把持部２１は、湾曲部の曲率を５０ｍｍＲとした。
【産業上の利用可能性】
【００１６】
本考案の防護盾は、コンビニエンスストア以外でも、例えば、銀行、病院などの受付カウンターなどにも配置することができ、とっさの場合に防護盾をかざして、身を護ることに効果を奏するものであり、産業上の利用可能性が高い。
【符号の説明】
【００１７】
１０：防護盾
１１：盾本体
１２：盾本体の表面
１３：盾本体の裏面
２０：取っ手部
２１：把持部
２１ａ：把持部の右側縁
２１ｂ：把持部の左側縁
２１ｃ：把持部の一端
２２：固定部
２２ａ：固定部の右下側縁
２２ｂ：固定部の左下側縁
２３：湾曲部（半割面と反対側）
２４：開放側（半割面側）
Ｔ：載置台
【図１】
0003192008.tif 000003
【図２】
0003192008.tif 000004
【図３】
0003192008.tif 000005
【図４】
0003192008.tif 000006
【図５】
0003192008.tif 000007
【図６】
0003192008.tif 000008
【図７】
0003192008.tif 000009